(57)【特許請求の範囲】
【請求項１】
引き出しおよび格納可能なハンドルを有するとともに機体に対し着脱自在に設けられたスタッカを具備する紙幣処理機において、
前記スタッカを機体にロックしかつ前記ハンドルを前記スタッカに格納状態でロックするロック機構を有し、
機体に装着状態の前記スタッカ内に機体側から進退自在に設けられるとともに、該スタッカ内に進入した状態で、該スタッカ内を二室に分離するセパレータを有しており、
前記ロック機構は、前記セパレータが前記スタッカ内に進入した状態において、前記スタッカを機体にロックしかつ前記ハンドルを前記スタッカに格納状態でロックすることを特徴とする紙幣処理機。
【請求項２】
前記ロック機構は、前記セパレータが前記スタッカから退避し予め定められた待機位置にあるときのみ前記スタッカの機体へのロックを解除しかつ前記ハンドルの前記スタッカへの格納状態でのロックを解除するとともに、前記セパレータが前記待機位置以外にあるときには、前記スタッカを機体にロックしかつ前記ハンドルを前記スタッカに格納状態でロックすることを特徴とする請求項１記載の紙幣処理機。
【請求項３】
前記ロック機構は、前記セパレータの前記スタッカからの退避動作に連動することを特徴とする請求項１記載の紙幣処理機。
【発明の詳細な説明】
【０００１】
【発明の属する技術分野】
本発明は、紙幣を収納可能な紙幣処理機に関する。
【０００２】
【従来の技術】
紙幣を収納可能な紙幣処理機として、例えば特開平７−２７２０５５号公報に開示された紙幣入出金機等がある。
この紙幣入出金機は、出金紙幣あるいは入金紙幣を収納する複数個のスタッカと、これらスタッカを着脱自在に支持する機体の一部を構成するスタッカキャリアとを有している。
複数のスタッカは、入金された紙幣を一時貯留する入出金スタッカと、各金種別スタッカであり、入出金スタッカは、内部に機体側からセパレータが進入することによりその空間部内が上下二室に分けられるとともに、二分されたうちの上側が紙幣の入金時に一時的に入金紙幣を貯留させる一時貯留部とされ、下側が紙幣を収納させる収納部とされるものである。
すなわち、紙幣の入金動作時には、機体の外側位置に設けられた入金口から入金された紙幣が、搬送路を通り、真偽の鑑別を受けた後、偽と判定された紙幣が機体の外側位置に設けられたリジェクト口へリジェクトされ、真と判定された紙幣が入出金スタッカの一時貯留部に投入されてセパレータ上に一時貯留される。そして、その後、操作者により確認操作がなされると、セパレータが入出金スタッカから退避することで、一時貯留されていた紙幣が該セパレータの位置より下側の収納部に送られるようになっている。
また、この入出金スタッカは、入金動作も出金動作もなされていないときに、収納部に収納されている紙幣を、必要に応じて、他の各金種別のスタッカに振り分けて収納させるようになっている。
他方、紙幣の出金動作時には、各金種別のスタッカが必要枚数の紙幣をそれぞれ払い出すことになり、このようにして払い出された紙幣が、搬送路を通り、正損判別を受けたあと、損券がリジェクトボックスへ収納され、正券が機体の外側に設けられた出金口へと運ばれる。
ところで、これらのスタッカは、機体に対し着脱自在とされており、着脱操作および持ち運び操作を容易とするためにその上部にハンドルが設けられている。このハンドルは、着脱操作時および持ち運び操作時には、スタッカから引き出された状態で使用される一方、スタッカをスタッカキャリアに装填した後は紙幣入出金機を運用可能な状態にするために入出金動作の妨げとならぬようスタッカに格納される。
【０００３】
【発明が解決しようとする課題】
上記したセパレータは、その直前の動作によってはその停止位置が不確定であり、また他の種々の機構により外部からはその停止位置が分らないように覆われてしまっている。
このため、セパレータが入出金スタッカの空間部内にあるとき、この入出金スタッカをスタッカキャリアから取り出そうと上方へ持ち上げると、入出金スタッカおよびセパレータの少なくとも一方が損傷してしまうことになる。
そこで、セパレータが入出金スタッカの空間部内にあるときには、入出金スタッカをスタッカキャリアから取り出せないようにロック機構でロックするようにしている。
しかしながら、ハンドルはスタッカに対し引き出し可能な状態のままであったため、ロック機構で入出金スタッカをスタッカキャリアにロックしていても、ハンドルを持ってスタッカを取り出そうとすることは可能であり、その勢いによっては、ロック機構、入出金スタッカおよびセパレータの少なくとも一つを損傷させてしまうことがあった。
また、セパレータがスタッカから退避した状態にあっても、ロック機構による入出金スタッカのスタッカキャリアへのロックが解除されない状態においては、ハンドルを持ってスタッカを取り出そうとすることは可能であり、その勢いによっては、ロック機構およびスタッカの少なくとも一つを損傷させてしまうことがあった。
【０００４】
したがって、本発明の目的は、スタッカが機体側にロックされた状態において、該スタッカに対し不用意に行われる機体からの取り出し行為により発生する損傷を防止することができる紙幣処理機を提供することである。
【０００５】
【課題を解決するための手段】
上記目的を達成するため、本発明の請求項１記載の紙幣処理機は、引き出しおよび格納可能なハンドルを具備するとともに機体に対し着脱自在に設けられたスタッカを有するものであって、前記スタッカを機体にロックしかつ前記ハンドルを前記スタッカに格納状態でロックするロック機構を有し、機体に装着状態の前記スタッカ内に機体側から進退自在に設けられるとともに、該スタッカ内に進入した状態で、該スタッカ内を二室に分離するセパレータを有しており、前記ロック機構は、前記セパレータが前記スタッカ内に進入した状態において、前記スタッカを機体にロックしかつ前記ハンドルを前記スタッカに格納状態でロックすることを特徴としている。
【０００６】
これにより、ロック機構がスタッカを機体にロックしかつハンドルをスタッカに格納状態でロックするため、スタッカが機体にロックされた状態では、ハンドルもスタッカに格納状態でロックされた状態となり、スタッカのハンドルを介しての取り出し行為自体が不可能な状態となる。
【０００８】
また、セパレータがスタッカ内に進入した状態においては、ロック機構が、スタッカを機体にロックしかつハンドルをスタッカに格納状態でロックするため、スタッカのハンドルを介しての取り出し行為自体が不可能な状態となる。
【０００９】
本発明の請求項２記載の紙幣処理機は、請求項１記載のものに関して、前記ロック機構は、前記セパレータがスタッカから退避し予め定められた待機位置にあるときのみ前記スタッカの機体へのロックを解除しかつ前記ハンドルの前記スタッカへの格納状態でのロックを解除するとともに、前記セパレータが前記待機位置以外にあるときには、前記スタッカを機体にロックしかつ前記ハンドルを前記スタッカに格納状態でロックすることを特徴としている。
【００１０】
これにより、セパレータがスタッカに進入する等予め定められた待機位置にない状態においては、ロック機構が、スタッカを機体にロックしかつハンドルをスタッカに格納状態でロックするため、スタッカのハンドルを介しての取り出し行為自体が不可能な状態となる一方、セパレータがスタッカから退避し予め定められた待機位置にあるときのみ、ロック機構が、スタッカの機体へのロックを解除しかつハンドルのスタッカへの格納状態でのロックを解除する。
【００１１】
本発明の請求項３記載の紙幣処理機は、請求項１記載のものに関して、前記ロック機構は、前記セパレータの前記スタッカからの退避動作に連動することを特徴としている。
【００１２】
このように、ロック機構がセパレータのスタッカからの退避動作に連動するため、ロックを解除するためだけにセパレータを動作させる必要がない。
【００１３】
【発明の実施の形態】
本発明の紙幣処理機の第１の実施の形態を図１および図２を参照して以下に説明する。
なお、この紙幣処理機の全体構成は、特開平７−２７２０５５号公報に記載された紙幣入出金機と同様のものであり、以下では、図１および図２を参照してその要部を説明する。
【００１４】
図１および図２において、符号１１は紙幣処理機に入金された紙幣を一時貯留する入出金用のスタッカを、符号１２は紙幣処理機の機体の一部を構成するとともにスタッカ１１を着脱自在に載置させるスタッカキャリアを、符号１３はスタッカ１１の一側から該スタッカ１１内に進退自在となるようにスタッカキャリア１２に設けられたセパレータを、それぞれ示している。
【００１５】
スタッカキャリア１２は図示せぬ箱状の機体本体に対して引き出しおよび装填自在とされており、機体本体に対し引き出された状態でスタッカ１１の着脱操作を可能とする。
【００１６】
スタッカ１１は、略直方体形状の箱体で、上述したようにスタッカキャリア１２に対し着脱自在に設けられており、その上部側に引き出しおよび格納可能なハンドル１５を有している。ここで、スタッカ１１はスタッカキャリア１２の所定の載置位置に上方から装填され、この装填状態からスタッカキャリア１２に対し上方に引き抜かれる。
【００１７】
ハンドル１５は、スタッカ１１の上板部１１Ａに形成された開口部１６からスタッカ１１内に挿入されるもので、スタッカ１１の一の側板部１１Ｂの内側に沿って鉛直延在するガイド部１７と、該ガイド部１７の上部からスタッカ１１の上板部１１Ａに沿って延在する把持部１８とを有している。
【００１８】
ハンドル１５のガイド部１７の下端には係合部材２１が固定されている。この係合部材２１には、上下方向に沿う長穴２２が形成されており、この長穴２２には側板部１１Ｂに固定されたガイドピン２３が挿通されている。
【００１９】
これにより、ハンドル１５は、スタッカ１１の上板部１１Ａに形成された開口部１６でガイド部１７が案内されるとともに係合部材２１の長穴２２がガイドピン２３で案内されることで、上下に移動する。
ここで、係合部材２１のセパレータ１３に対し反対側には、水平延在する係合面部２４が形成されている。
【００２０】
ハンドル１５のガイド部１７には把持部１８の若干下側に突起２６が設けられており、スタッカ１１の側板部１１Ｂには、突起２６を下方から支持可能な押釦部材２７がハンドル１５のセパレータ１３に対し反対側に配置されている。
この押釦部材２７は、ハンドル１５のセパレータ１３に対し反対側に側板部１１Ｂに垂直に取り付けられた軸２８を中心に回動自在となるように支持されている。
【００２１】
押釦部材２７には、軸２８を介して各側方に押圧板部２９と支持板部３０とが形成されている。そして、押圧板部２９が軸２８のセパレータ１３に対し反対側に延出した状態で支持板部３０が軸２８よりもセパレータ１３側に延在して突起２６を下側から支持することにより、このときのハンドル１５の重量等で一方向（図１における反時計回り方向）に回動する。
【００２２】
但し、このときハンドル１５の把持部１８がスタッカ１１の上板部１１Ａと面一とされ、かつ押圧板部２９がスタッカ１１の上板部１１Ａに形成された図示せぬ開口部を下側から閉塞する状態で前記一方向のそれ以上の回動が規制されることになる。この状態が押釦部材２９の基本状態であり、この基本状態で、ハンドル１５はその把持部１８が上記のようにスタッカ１１の上板部１１Ａと面一とされることによりスタッカ１１からの引き出しが不可能な状態となる。
【００２３】
この基本状態の押釦部材２７の押圧板部２９をスタッカ１１の上板部１１Ａに形成された図示せぬ開口部を介して操作者が下方に押圧すると、軸２８を中心に押釦部材２７が逆方向（図１における時計回り方向）に回動し支持板部３０を上昇させる。すると、ハンドル１５が突起２６を介して押し上げられ、スタッカ１１の上板部１１Ａと面一とされていたその把持部１８がスタッカ１１の上板部１１Ａより浮き上がることになり、よってハンドル１５がスタッカ１１から引き出しやすい状態となる。
【００２４】
ここで、スタッカ１１の側板部１１Ｂと該側板部１１Ｂのセパレータ１３に対し反対側に位置する側板部１１Ｃの境界部分近傍には、基本状態の押釦部材２７に支持されたハンドル１５の係合面部２４の上側となる位置に水平延在する切欠部３３が形成されている。
【００２５】
セパレータ１３には、そのスタッカ１１に対し反対側から鉛直下方に延出する鉛直延在部３５と、該鉛直延在部３５の下端部からスタッカ１１の方向に水平に延出する水平延在部３６とが設けられており、水平延在部３６には、回転自在のローラ３７が取り付けられている。
このセパレータ１３は、スタッカキャリア１２の所定の載置位置に載置された状態のスタッカ１１内に機体側から進退自在に設けられている。
【００２６】
具体的に、セパレータ１３は、図２に示すように、スタッカ１１の外側における移動の上限位置である第一位置▲１▼と、該第一位置▲１▼の水平側方（図２における右方）であってスタッカ１１の内側における移動の上限位置である第二位置▲２▼と、該第二位置▲２▼の鉛直下方であってスタッカ１１の内側における移動の下限位置である第三位置▲３▼と、該第三位置▲３▼の水平側方（図２における左方）かつ第一位置▲１▼の鉛直下方であってスタッカ１１の外側の第四位置▲４▼との間を図示せぬ駆動部の駆動により移動させられる。
また、セパレータ１３は、第四位置▲４▼と該第四位置▲４▼の鉛直下方であってスタッカ１１の外側における移動の下限位置である第五位置（待機位置）▲５▼との間をも図示せぬ駆動部の駆動により移動させられる。
【００２７】
ここで、第一位置▲１▼は、機体電源がＯＮされた状態における待機位置であり、第二位置▲２▼はスタッカ１１内への進入位置であり、第三位置▲３▼はスタッカ１１内の紙幣を上側から押圧する際の下限位置であり、第四位置▲４▼は通常運用時の下限位置であり、第五位置▲５▼は機体電源がＯＦＦされた状態およびスタッカ１１の抜き取り操作時の待機位置である。
【００２８】
ここで、セパレータ１３は、図示は略すが、スタッカ１１の内部に進入した状態においては、スタッカ１１の内部空間を、一時的に紙幣を貯留させる上側の一時貯留部と、紙幣を収納させる下側の収納部との二室に分離する。
【００２９】
スタッカキャリア１２には、スタッカ１１を機体の一部である該スタッカキャリア１２にロックしかつハンドル１５をスタッカ１１に格納状態でロックするロック機構４２が設けられている。以下、ロック機構４２について説明する。
【００３０】
スタッカ１１の側板部１１Ｂに平行な水平方向にスライド自在となるようにロック部材４３がスタッカキャリア１２に設けられている。このスライド部材４３は二カ所の長穴４４，４４を有しており、これら長穴４４，４４にそれぞれ挿通される支持ピン４５，４５を介してスタッカキャリア１２に支持されることで、上記した水平方向のスライドが可能とされている。
【００３１】
このロック部材４３には、そのセパレータ１３に対し反対側に水平に延出するロック板部４６を有しており、このロック板部４６はロック部材４３のセパレータ１３方向へのスライドにより、スタッカキャリア１２の所定位置に載置されたスタッカ１１の切欠部３３に進入して係合部材２１の係合面部２４の上側に近接配置されて停止されることになる。
【００３２】
この状態では、スタッカ１１および係合部材２１が上方への移動が同時に規制される。すなわち、スタッカ１１がスタッカキャリア１２からの取り外しが不可な状態となり、これと同時にハンドル１５が押釦部材２７を用いての上昇すなわちスタッカ１１からの引き出しが規制される。なお、この状態をロック状態と称す。
【００３３】
上記ロック状態から、ロック部材４３のセパレータ１３に対し反対方向へのスライドにより、ロック板部４６は、スタッカキャリア１２の所定位置に載置されたスタッカ１１の切欠部３３から外に出てスタッカ１１および係合部材２１の係合面部２４から離間して停止されることになる。
【００３４】
この状態では、スタッカ１１および係合部材２１の上方への移動の規制が同時に解除される。すなわち、スタッカ１１がスタッカキャリア１２からの取り外しが可能な状態となり、これと同時にハンドル１５が押釦部材２７を用いての上昇すなわちスタッカ１１からの引き出しが可能となる。なお、この状態をロック解除状態と称す。
【００３５】
ロック部材４３のロック板部４６に対し反対側の端部には、ロック部材４３を常にロック状態となるよう付勢するバネ部材４７がスタッカキャリア１２との間に介装されている。
【００３６】
また、ロック部材４３のロック板部４６に対し反対側の端部には、リンク部材４９の逆Ｕ字状の一端部が係合する軸５０が、支持されている。このリンク部材４９は他端側が上方に位置するように配置された状態で中間所定位置に前記軸５０と平行に配置された軸５１によりスタッカキャリア１２に回動自在に支持されている。
【００３７】
さらに、このリンク部材４９の他端部には、リンク部材５２がその一端部において前記軸５１と平行に配置された軸５３を中心に回動自在となるように支持されている。このリンク部材５２は他端側がスタッカ１１に対し反対側に位置するように配置された状態で前記軸５３と平行に配置された軸５４により作動部材５５の中間所定位置に回動自在に支持されている。
【００３８】
この作動部材５５はＬ字状をなしており、一端側が前記軸５１と平行に配置された軸５６によりスタッカキャリア１２に回動自在に支持されており、他端側の作動片部５７が軸５６のスタッカ１１に対し反対側に延出されている。
【００３９】
以上の構成の紙幣処理機は、スタッカキャリア１２を機体本体から引き出した後に、操作者がスタッカ１１を抜き取るための入力操作を図示せぬ制御部に対し行うかあるいは機体電源をＯＦＦすると、制御部は、セパレータ１３をスタッカ１１の外に退避させ、第四位置▲４▼から第五位置▲５▼に移動させる。すると、図２に示すように、セパレータ１３のローラ３７が下降して、ロック機構４２の作動部材５５の作動片部５７に当接してこれを下降させ、これにより、該作動部材５５は、リンク部材５２をスタッカ１１から離間させる方向に移動させ、これに連結されたリンク部材４９の下端部をスタッカ１１の方向に移動させる。
【００４０】
その結果、ロック部材４３がそのロック板部４６を前進させるようにスライドしてロック解除状態となる。このような作動がバネ部材４７の付勢力に抗して行われる。
【００４１】
そして、このロック解除状態では、操作者がスタッカ１１を取り出すためハンドル１５を浮かせるよう押釦部材２７を押圧すると、ロック部材４３による規制がなく、係合部材２１すなわちハンドル１５が上昇される。これにより、ハンドル１５をさらにスタッカ１１から引き出すことが可能となり、ハンドル１５をスタッカ１１から引き出して、スタッカ１１をスタッカキャリア１２から取り外すことができる。
【００４２】
この状態では、セパレータ１３はスタッカ１１の外に退避されており、スタッカ１１のスタッカキャリア１２へのロックもスタッカ１１のハンドル１５のロックも共に解除されているため、セパレータ１３、スタッカ１１およびロック機構４２のいずれにも損傷を生じることがない。
【００４３】
他方、スタッカキャリア１２を機体本体から引き出した後に、例えば操作者がスタッカ１１を抜き取るための入力操作を図示せぬ制御部に対し行わずに、かつ機体電源もＯＦＦさせずに、スタッカ１１を取り出すためハンドル１５を浮かせるよう押釦部材２７を押圧しても、制御部が、セパレータ１３を第四位置▲４▼から第五位置▲５▼に移動させず、ロック機構４２のロック部材４３がロック位置にあるため、係合部材２１すなわちハンドル１５がロック部材４３のロック板部４６により上昇が規制される。したがって、ハンドル１５のスタッカ１１からの引き出しが不可能となり、スタッカ１１に対しスタッカキャリア１２からの取り出し行為が不用意に行われることがないため、該取り出し行為によりセパレータ１３、スタッカ１１およびロック機構４２の少なくとも一つに発生する損傷を防止することができる。
【００４４】
取り出したスタッカ１１をスタッカキャリア１２の所定位置に載置させて、操作者がスタッカ１１の載置完了の入力操作を図示せぬ制御部に対し行うか、あるいは機体電源をＯＮさせると、制御部は、セパレータ１３を第五位置▲５▼から、電源ＯＮ時待機位置である第一位置▲１▼に移動させる。すると、セパレータ１３のローラ３７が上昇して、ロック機構４２の作動部材５５の作動片部５７から離間しようとする。作動部材５５の作動片部５７は、バネ部材４７の付勢力により、リンク部材４９、リンク部材５２および作動部材５５を介して上昇する方向に回動付勢されているので、セパレータ１３のローラ３７の上昇と同期して上昇する。このとき、リンク部材４９の下端部がセパレータ１３側に回動することで、これと軸５０で連結されたロック部材４３がそのロック板部４６を後退させるようにスライドしてロック状態となる。
【００４５】
なお、この後は、上記のようにスタッカキャリア１２を機体本体から引き出した後に、操作者がスタッカ１１を抜き取るための入力操作を図示せぬ制御部に対し行うかあるいは機体電源をＯＦＦさせない限り、セパレータ１３が第四位置から第五位置に移動することはなく、第一位置〜第四位置の間のみで移動することになる。
【００４６】
以上に述べた第１の実施の形態によれば、ロック機構４２は、セパレータ１３が少なくとも機体電源がＯＦＦされた状態、または、スタッカ１１の抜き取り操作時の待機位置である第五位置▲５▼から離れ、第一位置▲１▼〜第四位置▲４▼に位置している限り、スタッカ１１をスタッカキャリア１２にロックしかつハンドル１５をスタッカ１１に格納状態でロックすることになる。
【００４７】
したがって、セパレータ１３が所定の待機位置にいない限り、ハンドル１５を引き出すことができず、スタッカ１１に対しスタッカキャリア１２からの取り出し行為が不用意に行われることがないため、該取り出し行為によりセパレータ１３、スタッカ１１およびロック機構４２の少なくとも一つに発生する損傷を防止することができる。
【００４８】
ここで、以上のロック機構４２およびセパレータ１３は、図示せぬ他の種々の機構との関係上、上述した構成となっているが、セパレータ１３の下降動作に連動してロック部材４３を水平方向に移動させるものであれば、上記構成に限定されることなく、他の種々の構成を適用できる。
【００４９】
次に、本発明の紙幣処理機の第２の実施の形態を図３および図４を参照して以下に、第１の実施の形態との相違部分を中心に説明する。なお、第１の実施の形態と同様の部分には同一の符号を付しその説明は略す。
第２の実施の形態では、そのロック機構４２が、第１の実施の形態のリンク部材５２および作動部材５５に代えて、略Ｌ字形状をなす作動部材６０を用いているとともに、リンク部材４９に代えてリンク部材７０を用いている。
【００５０】
この作動部材６０は互いに垂直をなす連結板部６１と作動板部６２とを有しており、連結板部６１にその長さ方向に沿って延在する二つの長穴６４，６４が形成され、作動板部６２にはこれに垂直をなして当接板部６５が立設されている。
【００５１】
そして、この作動部材６０は、連結板部６１を水平に配置し作動板部６０を該連結板部６１から上方に延出させた状態で、長穴６４，６４にそれぞれ挿通される支持ピン６６，６６を介してスタッカキャリア１２に、スタッカ１１の側板部１１Ｂに平行な水平方向に移動自在となるよう支持されている。また、作動部材６０は、連結板部６１の作動板部６２に対し反対側がリンク部材７０のＵ字状の上端部に軸５３を介して連結されている。
【００５２】
これにより、作動部材６０は、セパレータ１３がスタッカ１１外に退避した第一位置▲１▼と第四位置▲４▼との間に位置する状態では、該セパレータ１３のローラ３７に当接板部６５が当接してスタッカ１１から離れる方向に移動していて、ロック部材４３をロック解除状態とする。
【００５３】
他方、作動部材６０は、セパレータ１３が第一位置▲１▼と第四位置▲４▼との間に位置しない状態では、該セパレータ１３のローラ３７から離間しスタッカ１１に近接する方向に移動していて、ロック部材４３をロック状態とする。
【００５４】
したがって、第２の実施の形態のロック機構４２も、セパレータ１３がスタッカ１１内から退避すると、ロック機構４２がロック解除状態となり、また、セパレータ１３がスタッカ１１内に進入した状態では、ロック機構４２が常にロック状態となる。よって、第１の実施の形態と同様の効果を奏することになる。
【００５５】
しかも、第２の実施の形態では、セパレータ１３がスタッカ１１外の第一位置▲１▼と第四位置▲４▼との間に位置する状態では常にロック機構４２をロック解除状態とするため、セパレータ１３のスタッカ１１からの退避動作に連動してロックを解除することになり、第１の実施の形態のようにロック機構４２をロック解除状態とするためだけの第四位置▲４▼と第五位置▲５▼との間の移動は不要となり、セパレータ１３の動作を簡素化できる。
【００５６】
【発明の効果】
以上詳述したように、本発明の請求項１記載の紙幣処理機によれば、ロック機構がスタッカを機体にロックしかつハンドルをスタッカに格納状態でロックするため、スタッカが機体にロックされた状態では、ハンドルもスタッカに格納状態でロックされた状態となり、スタッカのハンドルを介しての取り出し行為自体が不可能な状態となる。
したがって、スタッカが機体側にロックされた状態において、該スタッカに対し機体からの取り出し行為が不用意に行われることがないため、該取り出し行為によりスタッカおよびロック機構の少なくとも一方に発生する損傷を防止することができる。
【００５７】
また、セパレータがスタッカ内に進入した状態においては、ロック機構が、スタッカを機体にロックしかつハンドルをスタッカに格納状態でロックするため、スタッカのハンドルを介しての取り出し行為自体が不可能な状態となる。
したがって、セパレータがスタッカに進入しスタッカが機体側にロックされた状態において、該スタッカに対し機体からの取り出し行為が不用意に行われることがないため、該取り出し行為によりセパレータ、スタッカおよびロック機構の少なくとも一つに発生する損傷を防止することができる。
【００５８】
本発明の請求項２記載の紙幣処理機によれば、セパレータがスタッカに進入する等予め定められた待機位置にない状態においては、ロック機構が、スタッカを機体にロックしかつハンドルをスタッカに格納状態でロックするため、スタッカのハンドルを介しての取り出し行為自体が不可能な状態となる一方、セパレータがスタッカから退避し予め定められた待機位置にあるときのみ、ロック機構が、スタッカの機体へのロックを解除しかつハンドルのスタッカへの格納状態でのロックを解除する。
したがって、セパレータがスタッカに進入しスタッカが機体側にロックされた状態において、該スタッカに対し機体からの取り出し行為が不用意に行われることがないため、該取り出し行為によりセパレータ、スタッカおよびロック機構の少なくとも一つに発生する損傷を防止することができる。
【００５９】
本発明の請求項３記載の紙幣処理機によれば、ロック機構がセパレータのスタッカからの退避動作に連動するため、ロックを解除するためだけにセパレータを動作させる必要がない。
したがって、ロック機構を動作させるための構成を簡素にできる。
【図面の簡単な説明】
【図１】本発明の紙幣処理機の第１の実施の形態を示すもので、ロック機構がロック状態にあるときの、（ａ）は要部の側断面図、（ｂ）はロック部材等の平面図である。
【図２】本発明の紙幣処理機の第１の実施の形態を示すもので、ロック機構がロック解除状態にあるときの、（ａ）は要部の側断面図、（ｂ）はロック部材等の平面図である。
【図３】本発明の紙幣処理機の第２の実施の形態を示すもので、ロック機構がロック状態にあるときの要部の側断面図である。
【図４】本発明の紙幣処理機の第２の実施の形態を示すもので、ロック機構がロック解除状態にあるときの要部の側断面図である。
【符号の説明】
１１  スタッカ
１２  スタッカキャリア（機体）
１３  セパレータ
１５  ハンドル
４２  ロック機構
【図１】
0003558857.tif 000002
【図２】
0003558857.tif 000003
【図３】
0003558857.tif 000004
【図４】
0003558857.tif 000005